(57)【要約】  虚像表示部２は、車両の運転席からウィンドシールドを介して視認可能な虚像である表示オブジェクトを、車両の特定位置を基準とする虚像の方向である虚像方向と、虚像までの距離である虚像距離とによって規定される虚像位置に表示可能である。表示制御装置１は、車両のナビゲーション装置３から、車両の前方の案内地点に対応する経路案内の情報である案内情報を取得する案内情報取得部１１と、案内地点の車両に対する相対位置を取得する案内地点位置取得部１２と、虚像表示部の表示を制御する制御部１４とを備える。制御部１４は、案内情報の内容を示す表示オブジェクトである案内情報表示オブジェクトを表示すると共に、案内地点の位置を示す表示オブジェクトである案内地点表示オブジェクトを表示する。
2017029761.tif 000002
【特許請求の範囲】
【請求項１】
虚像表示部を制御する表示制御装置であって、
前記虚像表示部は、
車両の運転席から前記車両のウィンドシールドを介して視認可能な虚像である表示オブジェクトを、前記車両の特定位置を基準とする前記虚像の方向である虚像方向と、前記虚像までの距離である虚像距離とによって規定される虚像位置に表示可能であり、
前記車両のナビゲーション装置から、前記車両の前方の案内地点に対応する経路案内の情報である案内情報を取得する案内情報取得部と、
前記案内地点の前記車両に対する相対位置を取得する案内地点位置取得部と、
前記虚像表示部の表示を制御する制御部と
を備え、
前記制御部は、前記案内情報の内容を示す表示オブジェクトである案内情報表示オブジェクトを表示すると共に、前記案内地点の位置を示す表示オブジェクトである案内地点表示オブジェクトを表示する
ことを特徴とする表示制御装置。
【請求項２】
前記車両の前方に存在する移動体の前記案内地点に対する相対位置を取得する移動体位置取得部をさらに備え、
前記制御部は、前記案内地点表示オブジェクトとして、前記案内地点よりも近くに位置する移動体を示す第１の表示オブジェクトと、前記案内地点よりも遠くに位置する移動体を示す第２の表示オブジェクトとを表示する
請求項１に記載の表示制御装置。
【請求項３】
前記車両の前方に存在する移動体の前記案内地点に対する相対位置を取得する移動体位置取得部をさらに備え、
前記制御部は、前記案内地点表示オブジェクトとして、前記案内地点から前記案内情報の内容に一致する方向へ進む移動体を示す表示オブジェクトを表示する
請求項１に記載の表示制御装置。
【請求項４】
前記制御部は、前記案内地点表示オブジェクトとして、前記案内地点の周辺に存在するように見える実在しない移動体の虚像と、前記案内地点よりも近くに位置して見える前記移動体の虚像を示す第１の表示オブジェクトと、前記案内地点よりも遠くに位置して見える前記移動体の虚像を示す第２の表示オブジェクトとを表示する
請求項１に記載の表示制御装置。
【請求項５】
前記制御部は、前記案内地点表示オブジェクトとして、前記案内地点から前記案内情報の内容に一致する方向へ進んで見える実在しない移動体の虚像と、前記移動体の虚像を示す表示オブジェクトを表示する
請求項１に記載の表示制御装置。
【請求項６】
前記制御部は、前記案内地点表示オブジェクトとして、前記車両の運転者から見て前記案内地点に存在するように見える実在しない物体の虚像を表示する
請求項１に記載の表示制御装置。
【請求項７】
前記制御部は、前記案内地点表示オブジェクトとして、前記車両の運転者から見て前記案内地点よりも先の道路が着色されて見える虚像を表示する
請求項１に記載の表示制御装置。
【請求項８】
請求項１に記載の表示制御装置と、
前記虚像表示部と
を備える、表示装置。
【請求項９】
画像表示部を制御する表示制御装置であって、
車両の前方を撮影した影像である前方影像を取得する影像取得部と、
前記車両のナビゲーション装置から、前記車両の前方の案内地点に対応する経路案内の情報である案内情報を取得する案内情報取得部と、
前記前方影像における前記案内地点の位置を取得する案内地点位置取得部と、
前記画像表示部の表示を制御する制御部と
を備え、
前記制御部は、前記案内情報の内容を示す画像である案内情報表示オブジェクトを前記画像表示部に表示すると共に、前記前方影像における前記案内地点の位置を示す画像である案内地点表示オブジェクトを前記前方影像に重畳させて前記画像表示部に表示する
ことを特徴とする表示制御装置。
【請求項１０】
前記車両の前方に存在する移動体の前記案内地点に対する相対位置および前記前方影像における当該移動体の位置を取得する移動体位置取得部をさらに備え、
前記制御部は、前記案内地点表示オブジェクトとして、前記案内地点よりも近くに位置する移動体を示す第１の表示オブジェクトと、前記案内地点よりも遠くに位置する移動体を示す第２の表示オブジェクトとを表示する
請求項９に記載の表示制御装置。
【請求項１１】
前記車両の前方に存在する移動体の前記案内地点に対する相対位置および前記前方影像における当該移動体の位置を取得する移動体位置取得部をさらに備え、
前記制御部は、前記案内地点表示オブジェクトとして、前記案内地点から前記案内情報の内容に一致する方向へ進む移動体を示す表示オブジェクトを表示する
請求項９に記載の表示制御装置。
【請求項１２】
前記制御部は、前記案内地点表示オブジェクトとして、前記案内地点の周辺に存在するように見える実在しない移動体の画像と、前記案内地点よりも近くに位置して見える前記移動体の画像を示す第１の表示オブジェクトと、前記案内地点よりも遠くに位置して見える前記移動体の画像を示す第２の表示オブジェクトとを表示する
請求項９に記載の表示制御装置。
【請求項１３】
前記制御部は、前記案内地点表示オブジェクトとして、前記案内地点から前記案内情報の内容に一致する方向へ進んで見える実在しない移動体の画像と、前記移動体の画像を示す表示オブジェクトを表示する
請求項９に記載の表示制御装置。
【請求項１４】
前記制御部は、前記案内地点表示オブジェクトとして、前記案内地点に存在するように見える実在しない物体の画像を表示する
請求項９に記載の表示制御装置。
【請求項１５】
前記制御部は、前記案内地点表示オブジェクトとして、前記案内地点よりも先の道路を着色する画像を表示する
請求項９に記載の表示制御装置。
【請求項１６】
請求項９に記載の表示制御装置と、
前記画像表示部と
を備える、表示装置。
【請求項１７】
虚像表示部を用いた経路案内方法であって、
前記虚像表示部は、
車両の運転席から前記車両のウィンドシールドを介して視認可能な虚像である表示オブジェクトを、前記車両の特定位置を基準とする前記虚像の方向である虚像方向と、前記虚像までの距離である虚像距離とによって規定される虚像位置に表示可能であり、
前記経路案内方法は、
前記車両のナビゲーション装置から、前記車両の前方の案内地点に対応する経路案内の情報である案内情報を取得し、
前記案内地点の前記車両に対する相対位置を取得し、
前記案内情報の内容を示す表示オブジェクトである案内情報表示オブジェクトを表示すると共に、前記案内地点の位置を示す表示オブジェクトである案内地点表示オブジェクトを表示する
ことを特徴とする経路案内方法。
【請求項１８】
画像表示部を用いた経路案内方法であって、
車両の前方を撮影した影像である前方影像を取得し、
前記車両のナビゲーション装置から、前記車両の前方の案内地点に対応する経路案内の情報である案内情報を取得し、
前記前方影像における前記案内地点の位置を取得し、
前記案内情報の内容を示す画像である案内情報表示オブジェクトを前記画像表示部に表示すると共に、前記前方影像における前記案内地点の位置を示す画像である案内地点表示オブジェクトを前記前方影像に重畳させて前記画像表示部に表示する
ことを特徴とする経路案内方法。
【発明の詳細な説明】
【技術分野】
【０００１】
本発明は、表示部を制御する表示制御装置および表示部を用いた表示制御方法に関するものである。
【背景技術】
【０００２】
車両のウィンドシールドに画像を表示するヘッドアップディスプレイ（ＨＵＤ）に関して様々な技術が提案されている。例えば、画像を、運転者から見て、あたかも車両前方の実風景に実在するかのように見える虚像として表示するＨＵＤが提案されている。例えば特許文献１には、ナビゲーション装置が行う経路案内の内容を示す案内情報（右左折方向を示す矢印等）を虚像として表示するＨＵＤが開示されている。
【先行技術文献】
【特許文献】
【０００３】
【特許文献１】特開２０１５−３１７００号公報
【発明の概要】
【発明が解決しようとする課題】
【０００４】
上記の従来技術によれば、運転者から見やすい位置に案内情報を表示できるが、例えば、短い間隔で交差点が連続する場合などには、その案内情報がどの交差点に対応しているかが分かり難くなり、運転者がどの交差点を曲がればよいのか迷うことがある。【０００５】
本発明は、上記のような問題点を鑑みてなされたものであり、ナビゲーション装置が提供する案内情報に対応する案内地点を、運転者が容易に認識できる技術を提供することを目的とする。
【課題を解決するための手段】
【０００６】
本発明の第１の態様に係る表示制御装置は、虚像表示部を制御する表示制御装置であって、虚像表示部は、車両の運転席から車両のウィンドシールドを介して視認可能な虚像である表示オブジェクトを、車両の特定位置を基準とする虚像の方向である虚像方向と、虚像までの距離である虚像距離とによって規定される虚像位置に表示可能であり、車両のナビゲーション装置から、車両の前方の案内地点に対応する経路案内の情報である案内情報を取得する案内情報取得部と、案内地点の車両に対する相対位置を取得する案内地点位置取得部と、虚像表示部の表示を制御する制御部とを備え、制御部は、案内情報の内容を示す表示オブジェクトである案内情報表示オブジェクトを表示すると共に、案内地点の位置を示す表示オブジェクトである案内地点表示オブジェクトを表示する。【０００７】
本発明の第２の態様に係る表示制御装置は、画像表示部を制御する表示制御装置であって、車両の前方を撮影した影像である前方影像を取得する影像取得部と、車両のナビゲーション装置から、車両の前方の案内地点に対応する経路案内の情報である案内情報を取得する案内情報取得部と、前方影像における案内地点の位置を取得する案内地点位置取得部と、画像表示部の表示を制御する制御部とを備え、制御部は、案内情報の内容を示す画像である案内情報表示オブジェクトを画像表示部に表示すると共に、前方影像における案内地点の位置を示す画像である案内地点表示オブジェクトを前方影像に重畳させて画像表示部に表示する。
【発明の効果】
【０００８】
本発明によれば、ナビゲーション装置が経路案内を行う際、案内情報の内容を示す案内情報表示オブジェクトと共に、案内地点の位置を示す案内地点表示オブジェクトが表示されるため、運転者は、経路案内に対応する案内地点を容易に把握することができる。【０００９】
この発明の目的、特徴、局面、および利点は、以下の詳細な説明と添付図面とによって、より明白となる。
【図面の簡単な説明】
【００１０】
【図１】実施の形態１に係る表示制御装置の構成を示すブロック図である。
【図２】虚像表示部が表示する虚像（表示オブジェクト）を説明するための図である。
【図３】虚像表示部が表示する表示オブジェクトを説明するための図である。
【図４】虚像表示部が表示する表示オブジェクトを説明するための図である。
【図５】虚像表示部が表示する表示オブジェクトを説明するための図である。
【図６】実施の形態１に係る表示制御装置の動作を示すフローチャートである。
【図７】自車両と案内地点との位置関係の例を示す図である。
【図８】案内情報表示オブジェクトおよび案内地点表示オブジェクトの表示例を示す図である。
【図９】案内情報表示オブジェクトおよび案内地点表示オブジェクトの表示例を示す図である。
【図１０】案内情報表示オブジェクトおよび案内地点表示オブジェクトの表示例を示す図である。
【図１１】実施の形態１に係る表示制御装置のハードウェア構成の一例を示す図である。
【図１２】実施の形態１に係る表示制御装置のハードウェア構成の一例を示す図である。
【図１３】実施の形態２に係る表示制御装置の構成を示すブロック図である。
【図１４】案内情報表示オブジェクトおよび案内地点表示オブジェクトの表示例を示す図である。
【図１５】実施の形態２に係る表示制御装置の動作を示すフローチャートである。
【図１６】案内情報表示オブジェクトおよび案内地点表示オブジェクトの表示例を示す図である。
【図１７】案内情報表示オブジェクトおよび案内地点表示オブジェクトの表示例を示す図である。
【図１８】案内情報表示オブジェクトおよび案内地点表示オブジェクトの表示例を示す図である。
【図１９】案内情報表示オブジェクトおよび案内地点表示オブジェクトの表示例を示す図である。
【図２０】虚像距離を変更可能な虚像表示部を説明するための図である。
【図２１】虚像距離の異なる表示オブジェクトの表示例を示す図である。
【図２２】実施の形態４に係る表示制御装置の構成を示すブロック図である。
【図２３】実施の形態４に係る表示制御装置の動作を示すフローチャートである。
【図２４】案内情報表示オブジェクトおよび案内地点表示オブジェクトの表示例を示す図である。
【図２５】案内情報表示オブジェクトおよび案内地点表示オブジェクトの表示例を示す図である。
【図２６】案内情報表示オブジェクトおよび案内地点表示オブジェクトの表示例を示す図である。
【図２７】実施の形態５に係る表示制御装置の構成を示すブロック図である。
【図２８】案内情報表示オブジェクトおよび案内地点表示オブジェクトの表示例を示す図である。
【図２９】実施の形態５に係る表示制御装置の動作を示すフローチャートである。
【図３０】案内情報表示オブジェクトおよび案内地点表示オブジェクトの表示例を示す図である。
【図３１】案内情報表示オブジェクトおよび案内地点表示オブジェクトの表示例を示す図である。
【図３２】案内情報表示オブジェクトおよび案内地点表示オブジェクトの表示例を示す図である。
【図３３】案内情報表示オブジェクトおよび案内地点表示オブジェクトの表示例を示す図である。
【発明を実施するための形態】
【００１１】
＜実施の形態１＞
図１は、本発明の実施の形態１に係る表示制御装置１の構成を示す図である。本実施の形態では、表示制御装置１が車両に搭載されているものとして説明する。また、表示制御装置１を搭載した車両を「自車両」という。
【００１２】
表示制御装置１は、例えばＨＵＤなど、画像を運転者の視野に虚像として表示させる虚像表示部２を制御する。また、表示制御装置１には、自車両のナビゲーション装置３が接続されている。ここでは虚像表示部２が表示制御装置１に外部接続された例を示すが、虚像表示部２は表示制御装置１と一体的に構成されていてもよい。すなわち、表示制御装置１と虚像表示部２は、１つの表示装置として構成されていてもよい。
【００１３】
図２および図３を参照して、虚像表示部２が表示する虚像について説明する。本明細書では、虚像表示部２が表示する虚像を「表示オブジェクト」という。虚像表示部２は、図２のように、自車両の運転者２００の位置からウィンドシールド２０１を通して視認可能な位置に、表示オブジェクト１００を表示することができる。表示オブジェクト１００が実際に表示されている位置は、ウィンドシールド２０１上であるが、運転者２００から見ると、あたかも表示オブジェクト１００が車両前方の風景の中に存在するかのように見えるようになっている。
【００１４】
本明細書では、運転者２００から見た、表示オブジェクト１００の見かけ上の表示位置を「虚像位置」という。虚像位置は、運転者２００の位置を基準にした表示オブジェクト１００の方向である「虚像方向」と、運転者２００の位置から表示オブジェクト１００までの見かけ上の距離である「虚像距離」とによって規定される。このように、虚像位置を定義するための基準点は、運転者２００の位置であることが好ましいが、運転者２００の位置とみなすことができる車両の特定位置であればよく、例えば、運転席やウィンドシールド２０１を基準点としてもよい。
【００１５】
虚像方向は、実質的に、運転者２００から見たウィンドシールド２０１上における表示オブジェクト１００の位置に相当し、例えば、図３のように３次元極座標系の偏角（θｉ，φｉ）で表される。虚像距離は、実質的に、運転者２００から見た表示オブジェクト１００までの見かけ上の距離に相当し、例えば図３のように３次元極座標系の動径（ｒｉ）などで表される。運転者２００は、自身の目の焦点（ピント）の距離Ｆｄを虚像距離（ｒｉ）に合わせることによって、３次元極座標（ｒｉ，θｉ，φｉ）で表される虚像位置に表示オブジェクト１００を視認することができる。
【００１６】
なお、虚像位置を３次元極座標で表すと虚像距離（ｒｉ）の等しい面は球面となるが、車両用の虚像表示部２のように虚像方向が一定の範囲（車両の前方）に制限される場合には、虚像距離の等しい面を平面で近似してもよい。また、ＨＵＤでは、虚像の表示面が平面になるように光学的に工夫されているものが多い。以下の説明では、図４のように虚像距離の等しい面を平面として扱うこととする（図４では、車両の進行方向をｙ軸とし、ｙ＝ｒｉの平面を虚像距離ｒｉの表示面として規定している）。
【００１７】
図１に戻り、ナビゲーション装置３は、自車両の現在位置から目的地までの最適な経路を検索し、それを走行予定経路として定め、自車両が走行予定経路に沿って走行するように、運転者に対して経路案内を行う。ナビゲーション装置３が行う経路案内は、自車両が走行経路上の分岐点や交差点などに近づいたときに、自車両の進行方向などを運転者に指示することによって行われる。ナビゲーション装置３が経路案内を行う地点を「案内地点」といい、経路案内の内容を示す情報（進行方向の指示など）を「案内情報」という。なお、案内地点は、分岐点や交差点のほか、合流地点（高速道路の出入り口等）や車線変更地点などの場合もある。
【００１８】
図１に示すように、表示制御装置１は、案内情報取得部１１、案内地点位置取得部１２、表示オブジェクト記憶部１３および制御部１４を備えている。
【００１９】
案内情報取得部１１は、ナビゲーション装置３から、自車両の前方の案内地点（次の案内地点）における経路案内の内容を示す案内情報を取得する。本実施の形態では、ナビゲーション装置３は、自車両の案内地点に近づいた場合に、その案内地点に対応する案内情報を案内情報取得部１１へ出力するものとする。「自車両の案内地点に近づいた場合」とは、例えば、自車両から案内地点までの距離が予め定められた閾値よりも小さくなった場合として定義されてもよいし、自車両が案内地点に到着するまでの予想時間が予め定められた閾値よりも小さくなった場合として定義されてもよい。
【００２０】
案内地点位置取得部１２は、案内情報取得部１１が取得した案内情報に対応する案内地点の、自車両に対する相対位置を取得する。案内地点の自車両に対する相対位置は、ナビゲーション装置３が記憶している地図情報に含まれる案内地点の位置情報と、ナビゲーション装置３が取得した自車両の位置情報とから算出することができる。本実施の形態では、ナビゲーション装置３が案内地点の相対位置を算出しており、案内地点位置取得部１２がその算出結果を取得するものとする。あるいは、案内地点位置取得部１２が、ナビゲーション装置３から案内地点および自車両の位置情報を取得して、その情報から案内地点の相対位置を算出してもよい。
【００２１】
表示オブジェクト記憶部１３は、複数の表示オブジェクトの画像データを予め記憶している。表示オブジェクト記憶部１３に記憶されている表示オブジェクトには、案内情報の内容を示すための画像（例えば、右折や左折を表す矢印の図形など）、および、案内地点の位置を示すための画像（具体例は後述する）が含まれている。
【００２２】
制御部１４は、表示制御装置１の各構成要素を統括的に制御するとともに、虚像表示部２による虚像の表示を制御する。例えば、制御部１４は、表示オブジェクト記憶部１３に記憶されている表示オブジェクトを、虚像表示部２を用いて運転者２００の視野に表示させることができる。また、制御部１４は、虚像表示部２が表示する表示オブジェクトの虚像位置を制御することができる。先に述べたように、虚像位置は虚像方向と虚像距離とによって表されるが、本実施の形態では、虚像表示部２が表示オブジェクトの虚像距離の変更機能を有していないと仮定し、虚像距離は一定であるとする。なお、制御部１４は、表示オブジェクト記憶部１３に格納されていない表示オブジェクトを生成する機能を有していてもよいし、表示オブジェクトを変形する機能を有していてもよい。
【００２３】
例えば、虚像表示部２の表示する表示オブジェクトの虚像距離が３０ｍである場合（図４においてｒｉ＝３０ｍ）、制御部１４は、虚像距離が３０ｍの表示オブジェクト１００を、虚像表示部２に表示させることができる。その場合、運転者からは、図５のように、ウィンドシールド２０１を通して、前方３０ｍに表示オブジェクト１００が存在しているように見える（符号２０２の要素は自車両のハンドルである）。
【００２４】
次に、実施の形態１に係る表示制御装置１の動作を説明する。図６はその動作を示すフローチャートである。表示制御装置１は、ナビゲーション装置３から自車両前方の案内地点に対応する案内情報を取得すると、その案内情報の内容を示す表示オブジェクトを表示すると共に、当該案内情報に対応する案内地点の位置を示す表示オブジェクトを表示するように動作する。以下、案内情報の内容を示す表示オブジェクトを「案内情報表示オブジェクト」といい、案内地点の位置を示す表示オブジェクトを「案内地点表示オブジェクト」という。
【００２５】
自車両が前方の案内地点に近づくと、案内情報取得部１１は、ナビゲーション装置３から、当該案内地点に対応する案内情報を取得する（ステップＳ１１）。また、案内地点位置取得部１２は、当該案内地点の自車両に対する相対位置を取得する（ステップＳ１２）。
【００２６】
その後、制御部１４は、表示オブジェクト記憶部１３から案内情報表示オブジェクト（例えば、右折や左折を表す矢印の図形）のデータを取得し、それを虚像表示部２を用いて表示する（ステップＳ１３）。案内情報表示オブジェクトの虚像位置は、運転者が見やすい位置であれば任意の位置でよい。例えば、案内情報表示オブジェクトの虚像位置を、ウィンドシールドの一定の位置に固定してもよいし、運転者から見て、案内地点の近傍に見える位置（例えば、案内地点の上方など）にしてもよい。
【００２７】
さらに、制御部１４は、表示オブジェクト記憶部１３から案内地点表示オブジェクトのデータを取得し、それを運転者から見て案内地点に対応する位置に表示する（ステップＳ１４）。表示制御装置１は、以上の動作を繰り返し実行する。
【００２８】
例えば、図７に示すように、自車両Ｓの前方に位置する交差点ＸＰ１が案内地点であり、その交差点ＸＰ１の手前に、案内地点ではない交差点ＸＰ２が存在する場合を考える。また、交差点ＸＰ１に対応する案内情報の内容は「右折」であるとする。
【００２９】
この場合、ウィンドシールド２０１を通した運転者の視野には、図８のように、右折を示す案内情報表示オブジェクト３１（矢印の図形）が表示されると共に、運転者から見て交差点ＸＰ１に対応する位置に、案内地点を示す案内地点表示オブジェクト３２が表示される。本実施の形態では、案内地点表示オブジェクト３２は、運転者から見て案内地点に存在するように見える、実在しない物体の虚像としている。図８は、案内地点表示オブジェクト３２をポールの虚像とした例である。
【００３０】
案内地点表示オブジェクト３２はポールの虚像に限られず、例えば図９のように、運転者から見て案内地点（ＸＰ１）に存在して見える実在しない壁の虚像を、案内地点表示オブジェクト３２としてもよい。また、例えば図１０のように、運転者から見て案内地点（ＸＰ１）よりも先の道路が着色されて見える虚像を、案内地点表示オブジェクト３２としてもよい。
【００３１】
本実施の形態によれば、運転者から見て交差点ＸＰ１に対応する位置に、案内地点表示オブジェクト３２が表示されることで、運転者は、案内情報表示オブジェクト３１が表す案内情報（右折の指示）に対応する案内地点が交差点ＸＰ１であると容易に認識できる。
【００３２】
図１１および図１２は、それぞれ表示制御装置１のハードウェア構成の一例を示す図である。表示制御装置１における案内情報取得部１１、案内地点位置取得部１２および制御部１４は、例えば図１１に示す処理回路４０により実現される。すなわち、処理回路４０は、ナビゲーション装置３から自車両の前方の案内地点に対応する案内情報を取得する案内情報取得部１１と、当該案内地点の自車両に対する相対位置を取得する案内地点位置取得部１２と、当該案内情報の内容を示す案内情報表示オブジェクト３１を表示すると共に、当該案内地点の位置を示す案内地点表示オブジェクト３２を表示する制御部１４とを備える。処理回路４０には、専用のハードウェアが適用されてもよいし、メモリに格納されるプログラムを実行するプロセッサ（Central Processing Unit、中央処理装置、処理装置、演算装置、マイクロプロセッサ、マイクロコンピュータ、Digital Signal Processor）が適用されてもよい。
【００３３】
処理回路４０が専用のハードウェアである場合、処理回路４０は、例えば、単一回路、複合回路、プログラム化したプロセッサ、並列プログラム化したプロセッサ、ＡＳＩＣ、ＦＰＧＡ、またはこれらを組み合わせたものが該当する。案内情報取得部１１、案内地点位置取得部１２および制御部１４の各部の機能それぞれは、複数の処理回路４０で実現されてもよいし、各部の機能をまとめて一つの処理回路４０で実現されてもよい。
【００３４】
図１２は、処理回路４０がプロセッサである場合における表示制御装置１のハードウェア構成を示している。この場合、案内情報取得部１１、案内地点位置取得部１２および制御部１４の機能は、ソフトウェア等（ソフトウェア、ファームウェア、またはソフトウェアとファームウェア）との組み合わせにより実現される。ソフトウェア等はプログラムとして記述され、メモリ４２に格納される。処理回路４０としてのプロセッサ４１は、メモリ４２に記憶されたプログラムを読み出して実行することにより、各部の機能を実現する。すなわち、表示制御装置１は、処理回路４０により実行されるときに、ナビゲーション装置３から自車両の前方の案内地点に対応する案内情報を取得するステップと、当該案内地点の自車両に対する相対位置を取得するステップと、当該案内情報の内容を示す案内情報表示オブジェクト３１を表示すると共に、当該案内地点の位置を示す案内地点表示オブジェクト３２を表示するステップと、が結果的に実行されることになるプログラムを格納するためのメモリ４２を備える。換言すれば、このプログラムは、案内情報取得部１１、案内地点位置取得部１２および制御部１４の手順や方法をコンピュータに実行させるものであるともいえる。ここで、メモリ４２には、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）およびそのドライブ装置等が該当する。
【００３５】
以上、案内情報取得部１１、案内地点位置取得部１２および制御部１４の各機能が、ハードウェアおよびソフトウェア等のいずれか一方で実現される構成について説明した。しかしこれに限ったものではなく、案内情報取得部１１、案内地点位置取得部１２および制御部１４の一部を専用のハードウェアで実現し、別の一部をソフトウェア等で実現する構成であってもよい。例えば、制御部１４については専用のハードウェアとしての処理回路でその機能を実現し、それ以外についてはプロセッサ４１としての処理回路４０がメモリ４２に格納されたプログラムを読み出して実行することによってその機能を実現することが可能である。
【００３６】
以上のように、処理回路４０は、ハードウェア、ソフトウェア等、またはこれらの組み合わせによって、上述の各機能を実現することができる。なお、表示オブジェクト記憶部１３は、メモリ４２から構成されるが、それは一のメモリ４２から構成されてもよいし、複数のメモリ４２から構成されてもよい。
【００３７】
また、以上で説明した表示制御装置は、車両に搭載可能な備え付けられたナビゲーション装置、Portable Navigation Device、通信端末（例えば携帯電話、スマートフォン、およびタブレットなどの携帯端末）、およびこれらにインストールされるアプリケーションの機能、並びにサーバなどを適宜に組み合わせてシステムとして構築される表示制御システムに適用することができる。この場合、以上で説明した表示制御装置の各機能あるいは各構成要素は、上記システムを構築する各機器に分散して配置されてもよいし、いずれかの機器に集中して配置されてもよい。
【００３８】
＜実施の形態２＞
図１３は、実施の形態２に係る表示制御装置１の構成を示すブロック図である。実施の形態２では、表示制御装置１に、さらに自車両の前方に存在する移動体（車両、バイク等）を検出する移動体検出部４が接続されている。移動体検出部４は、例えば、自車両のミリ波レーダー、ＤＳＲＣ（Dedicate Short Range Communication）ユニット、カメラ（例えば赤外線カメラ）などを用いて、移動体の存在を検出することができる。
【００３９】
また、表示制御装置１は、図１の構成に対し、移動体位置取得部１５を追加した構成となっている。移動体位置取得部１５は、移動体検出部４が検出した移動体の、案内地点に対する相対位置を取得する。案内地点と移動体との相対位置は、案内地点位置取得部１２が取得した案内地点の自車両に対する相対位置の情報と、自車両のミリ波レーダーの出力データ、ＤＳＲＣユニットの出力データ、または、カメラで撮影した映像の解析結果から求めた移動体の位置（自車両に対する相対位置）の情報とから算出できる。
【００４０】
なお、実施の形態２の表示制御装置１も、図１１または図１２に示したハードウェア構成で実現される。すなわち、移動体位置取得部１５の機能も、処理回路４０または、プログラムを実行するプロセッサ４１によって実現される。
【００４１】
ここでも、図７のように、自車両Ｓの前方に位置する交差点ＸＰ１が案内地点であり、その交差点ＸＰ１の手前に、案内地点ではない交差点ＸＰ２が存在する場合を考える。また、交差点ＸＰ１に対応する案内情報の内容は「右折」である。
【００４２】
実施の形態２では、案内地点表示オブジェクト３２が案内地点の位置を直接的に示すのではなく、当該案内地点の周囲に存在する各移動体に案内地点表示オブジェクト３２が付されることによって、間接的に案内地点の位置が示される。また、図１４のように、案内地点表示オブジェクト３２は、案内地点よりも近くに位置する移動体（車両５１，５２）を示す第１の表示オブジェクト３２ａ（「○」のマーク）と、案内地点よりも遠くに位置する移動体（車両５３）を示す第２の表示オブジェクト３２ｂ（「×」のマーク）とから構成されている。従って、第１の表示オブジェクト３２ａが付された車両５１，５２と、第２の表示オブジェクト３２ｂが付された車両５３との間の位置に、案内地点が存在することが分かる。よって、実施の形態１と同様の効果が得られる。本実施の形態は、自車両前方に移動体が存在することによって、運転者が案内地点を視認しにくい場合に有効である。
【００４３】
実施の形態２に係る表示制御装置１の動作を説明する。図１５はその動作を示すフローチャートである。
【００４４】
自車両が前方の案内地点に近づくと、案内情報取得部１１は、ナビゲーション装置３から、その案内地点に対応する案内情報を取得する（ステップＳ２１）。また、案内地点位置取得部１２は、当該案内地点の自車両に対する相対位置を取得する（ステップＳ２２）。
【００４５】
その後、制御部１４は、表示オブジェクト記憶部１３から案内情報表示オブジェクトのデータを取得し、それを虚像表示部２を用いて表示する（ステップＳ２３）。案内情報表示オブジェクトの虚像位置は、運転者が見やすい位置であれば任意の位置でよい。
【００４６】
次に、移動体位置取得部１５が、移動体検出部４によって自車両前方の移動体が検出されているか否かを確認する（ステップＳ２４）。このとき、移動体が検出されていれば（ステップＳ２４でＹＥＳ）、移動体位置取得部１５が、自車両前方の案内地点に対する各移動体の相対位置を取得する（ステップＳ２５）。そして、制御部１４が、運転者から見て各移動体に対応する位置に、その移動体の案内地点に対する相対位置に応じた案内地点表示オブジェクト（第１の表示オブジェクトまたは第２の表示オブジェクト）を表示する（ステップＳ２６）。
【００４７】
なお、移動体検出部４によって移動体が検出されていなければ（ステップＳ２４でＮＯ）、上記のステップＳ２５，Ｓ２６は行われない。表示制御装置１は、以上の動作を繰り返し実行する。
【００４８】
このように、実施の形態２では、案内地点に対する移動体の相対位置に応じて、各移動体に案内地点表示オブジェクト３２が付される。案内地点表示オブジェクト３２の例は、図１４に示したものに限らず、例えば図１６のように、案内地点（交差点ＸＰ１）から案内情報の内容（右折）に一致する方向へ進む車両５４に、案内地点表示オブジェクト３２（「○」のマーク）を付すようにしてもよい。その場合、運転者は、案内地点の位置だけでなく、その案内地点での自車両の進行方向も把握できる。
【００４９】
また、図１６の例において、案内情報表示オブジェクト３１の虚像を、案内地点表示オブジェクト３２として兼用してもよい。すなわち、図１７のように、案内地点（交差点ＸＰ１）から案内情報の内容（右折）に一致する方向へ進む車両５４に、案内地点表示オブジェクト３２として、案内情報表示オブジェクト３１の虚像（右折を示す矢印）を付してもよい。
【００５０】
図１５のフローでは、移動体検出部４によって移動体が検出されていないときは（ステップＳ２４でＮＯの場合）、案内地点表示オブジェクト３２を付す対象が存在しないため、案内地点表示オブジェクト３２は表示されない。しかし、そのような場合でも、案内地点表示オブジェクト３２が表示されるようにしてもよい。
【００５１】
例えば、図１８のように、表示制御装置１が、案内地点表示オブジェクト３２として、交差点ＸＰ１（案内地点）の周辺に存在するように見える実在しない車両の虚像５１ｖ，５２ｖ，５３ｖと、交差点ＸＰ１よりも近くに位置して見える車両の虚像５１ｖ，５２ｖを示す第１の表示オブジェクト３２ａと、交差点ＸＰ１よりも遠くに位置して見える車両の虚像５３ｖを示す第２の表示オブジェクト３２ｂとを表示するようにしてもよい。これにより、自車両の前方に移動体が存在しない場合でも、図１４の場合と同様の効果が得られる。
【００５２】
また、図１９のように、表示制御装置１が、案内地点表示オブジェクト３２として、交差点ＸＰ１（案内地点）から案内情報の内容（右折）に一致する方向へ進んで見える実在しない車両の虚像５４ｖと、その車両の虚像５４ｖを示す表示オブジェクト（「○」のマーク）を表示するようにしてもよい。これにより、自車両の前方に移動体が存在しない場合でも、図１６の場合と同様の効果が得られる。また、図１９の例においても、図１７を用いて説明したように、案内情報表示オブジェクト３１の虚像を、案内地点表示オブジェクト３２として兼用してもよい。
【００５３】
＜実施の形態３＞
実施の形態１、２では、虚像表示部２が虚像距離の変更機能を有していないものとして説明したが、虚像表示部２がその機能を有していてもよい。例えば、虚像表示部２は、表示オブジェクトの虚像距離を２５ｍ、５０ｍ、７５ｍのうちから選択して設定可能であると仮定する。この場合、制御部１４は、図２０のように、虚像距離が２５ｍの第１の表示オブジェクト１０１ａと、虚像距離が５０ｍの第２の表示オブジェクト１０１ｂと、虚像距離が７５ｍの第３の表示オブジェクト１０１ｃとを、虚像表示部２に表示させることができる。その場合、運転者からは、図２１のように、ウィンドシールド２０１を通して、前方２５ｍに第１の表示オブジェクト１０１ａが存在し、前方５０ｍに第２の表示オブジェクト１０１ｂが存在し、前方７５ｍに第３の表示オブジェクト１０１ｃが存在しているように見える（符号２０２の要素は自車両のハンドルである）。
【００５４】
例えば、図８および図９の例において、案内地点表示オブジェクト３２の虚像距離を、自車両から交差点ＸＰ１までの距離と等しくすれば、案内地点表示オブジェクト３２が交差点ＸＰ１に存在するように見えるリアル感が増す。
【００５５】
また、図１４の例において、交差点ＸＰ１よりも近くに位置する移動体（車両５１，５２）に付す第１の表示オブジェクト３２ａ（「○」のマーク）の虚像距離を、自車両から交差点ＸＰ１までの距離よりも短くし、且つ、交差点ＸＰ１よりも遠くに位置する移動体（車両５３）に付す第２の表示オブジェクト３２ｂ（「×」のマーク）の虚像距離を、自車両から交差点ＸＰ１までの距離よりも長くしてもよい。さらに、車両５１に付す第１の表示オブジェクト３２ａの虚像距離を、自車両から車両５１までの距離と等しくし、車両５２に付す第１の表示オブジェクト３２ａの虚像距離を、自車両から車両５２までの距離と等しくし、車両５３に付す第２の表示オブジェクト３２ｂの虚像距離を、自車両から車両５３までの距離と等しくしてもよい。同様に、図１６または図１７の例において、車両５４に付す案内地点表示オブジェクト３２の虚像距離を、自車両から車両５４までの距離と等しくしてもよい。
【００５６】
また、図１８の例において、交差点ＸＰ１よりも近くに位置して見える移動体の虚像（虚像５１ｖ，５２ｖ）およびそれに付す第１の表示オブジェクト３２ａ（「○」のマーク）の虚像距離を、自車両から交差点ＸＰ１までの距離よりも短くし、且つ、交差点ＸＰ１よりも遠くに位置して見える移動体の虚像（虚像５３ｖ）およびそれに付す第２の表示オブジェクト３２ｂ（「×」のマーク）の虚像距離を、自車両から交差点ＸＰ１までの距離よりも長くしてもよい。また、図１９の例において、交差点ＸＰ１（案内地点）から案内情報の内容（右折）に一致する方向へ進んで見える移動体の虚像５４ｖおよびそれに付す表示オブジェクト（「○」のマーク）の虚像距離を、自車両から交差点ＸＰ１までの距離と等しくしてもよい。
【００５７】
＜実施の形態４＞
図２２は、本発明の実施の形態４に係る表示制御装置１の構成を示す図である。実施の形態４の表示制御装置１は、例えば液晶表示装置など、画像を画面に表示させる画像表示部５を制御する。また、表示制御装置１には、自車両のナビゲーション装置３が接続されている。ここでは画像表示部５が表示制御装置１に外部接続された例を示すが、画像表示部５は表示制御装置１と一体的に構成されていてもよい。すなわち、表示制御装置１と画像表示部５は、１つの表示装置として構成されていてもよい。
【００５８】
また、表示制御装置１には、自車両の前方の影像（以下「前方影像」という）を撮影する車載カメラ６が接続されており、表示制御装置１は、車載カメラ６が撮影した前方影像を取得する影像取得部１６を備えている。また、案内地点位置取得部１２は、画像解析処理によって、前方影像における案内地点の位置を取得するように動作する。図２２におけるその他の要素は、図１に示したものと同様であるので、ここでの説明は省略する。
【００５９】
なお、実施の形態４の表示制御装置１も、図１１または図１２に示したハードウェア構成で実現される。すなわち、影像取得部１６の機能も、処理回路４０または、プログラムを実行するプロセッサ４１によって実現される。
【００６０】
次に、実施の形態４に係る表示制御装置１の動作を説明する。図２３はその動作を示すフローチャートである。実施の形態４では、表示制御装置１は、車載カメラ６から取得した前方影像を画像表示部５に表示する。また、表示制御装置１は、ナビゲーション装置３から自車両前方の案内地点（次の案内地点）に対応する案内情報を取得すると、その案内情報の内容を示す画像を画像表示部５に表示すると共に、当該案内情報に対応する案内地点の位置を示す画像を前方影像に重畳させて画像表示部５に表示するように動作する。
【００６１】
以下、表示制御装置１が、前方影像と共に画像表示部５に表示させる各画像を「表示オブジェクト」という。特に、案内情報の内容を示す画像を「案内情報表示オブジェクト」といい、案内地点の位置を示す画像を「案内地点表示オブジェクト」という。
【００６２】
自車両の走行中、影像取得部１６は、車載カメラ６が撮影した前方映像を取得し（ステップＳ３１）、制御部１４がその前方影像を画像表示部５に表示させる（ステップＳ３２）。また、制御部１４は、案内情報取得部１１が、ナビゲーション装置３から自車両前方の案内地点（次の案内地点）に対応する案内情報を取得したか否かを確認する（ステップＳ３３）。案内情報取得部１１が次の案内地点に対応する案内情報を取得していなければ（ステップＳ３３でＮＯ）、ステップＳ３１へ戻る。
【００６３】
案内情報取得部１１が次の案内地点に対応する案内情報を取得すると（ステップＳ３３でＹＥＳ）、案内地点位置取得部１２は、前方影像における当該案内地点の位置を取得する（ステップＳ３４）。
【００６４】
その後、制御部１４は、表示オブジェクト記憶部１３から案内情報表示オブジェクト（例えば、右折や左折を表す矢印の図形）のデータを取得し、それを画像表示部５に表示する（ステップＳ３５）。案内情報表示オブジェクトの表示位置は、運転者が見やすい位置であれば任意の位置でよい。例えば、画像表示部５の画面の一定の位置に固定してもよいし、画像表示部５に表示されている前方映像における案内地点の近傍（例えば、案内地点の上方など）にしてもよい。
【００６５】
さらに、制御部１４は、表示オブジェクト記憶部１３から案内地点表示オブジェクトのデータを取得し、画像表示部５に表示された前方影像における案内地点に対応する位置に表示して（ステップＳ３６）、ステップＳ３１に戻る。表示制御装置１は、以上の動作を繰り返し実行する。
【００６６】
ここでも、図７のように、自車両Ｓの前方に位置する交差点ＸＰ１が案内地点であり、その交差点ＸＰ１の手前に、案内地点ではない交差点ＸＰ２が存在する場合を考える。また、交差点ＸＰ１に対応する案内情報の内容は「右折」である。
【００６７】
この場合、画像表示部５には、図２４のように、右折を示す案内情報表示オブジェクト３１（矢印の図形）が表示されると共に、前方影像における交差点ＸＰ１に対応する位置に、案内地点を示す案内地点表示オブジェクト３２が表示される。本実施の形態では、案内地点表示オブジェクト３２を、案内地点に存在するように見える実在しない物体の画像としている。図２４は、案内地点表示オブジェクト３２をポールの画像とした例である。
【００６８】
案内地点表示オブジェクト３２はポールの虚像に限られず、例えば図２５のように、運転者から見て案内地点（ＸＰ１）に存在して見える実在しない壁の虚像を、案内地点表示オブジェクト３２としてもよい。また、例えば図２６のように、運転者から見て案内地点（ＸＰ１）よりも先の道路が着色されて見える画像を、案内地点表示オブジェクト３２としてもよい。
【００６９】
本実施の形態によれば、画像表示部５に表示された前方影像において、交差点ＸＰ１に対応する位置に、案内地点表示オブジェクト３２が表示される。それにより、運転者は、画像表示部５を見ることによって、案内情報表示オブジェクト３１が表す右折の指示に対応する案内地点が交差点ＸＰ１であると容易に認識できる。
【００７０】
なお、実施の形態４に係る表示制御装置１も、図１１または図１２に示したハードウェア構成で実現可能である。例えば図１１のようなハードウェア構成の場合、処理回路４０は、ナビゲーション装置３から自車両の前方の案内地点に対応する案内情報を取得する案内情報取得部１１と、前方影像における案内地点の位置を取得する案内地点位置取得部１２と、当該案内情報の内容を示す案内情報表示オブジェクト３１を画像表示部５に表示すると共に、前方影像における案内地点の位置を示す案内地点表示オブジェクト３２を前方影像に重畳させて画像表示部５に表示する制御部１４とを備える。
【００７１】
また図１２のようなハードウェア構成の場合、プロセッサ４１が、メモリ４２に記憶されたプログラムを読み出して実行することにより、ナビゲーション装置３から自車両の前方の案内地点に対応する案内情報を取得するステップと、前方影像における案内地点の位置を取得するステップと、当該案内情報の内容を示す案内情報表示オブジェクト３１を画像表示部５に表示すると共に、前方影像における案内地点の位置を示す案内地点表示オブジェクト３２を前方影像に重畳させて画像表示部５に表示するステップと、が結果的に実行されることになる。
【００７２】
また、本実施の形態の表示制御装置も、車両に搭載可能な備え付けられたナビゲーション装置、Portable Navigation Device、通信端末（例えば携帯電話、スマートフォン、およびタブレットなどの携帯端末）、およびこれらにインストールされるアプリケーションの機能、並びにサーバなどを適宜に組み合わせてシステムとして構築される表示制御システムに適用することができる。この場合、以上で説明した表示制御装置の各機能あるいは各構成要素は、上記システムを構築する各機器に分散して配置されてもよいし、いずれかの機器に集中して配置されてもよい。
【００７３】
＜実施の形態５＞
図２７は、実施の形態５に係る表示制御装置１の構成を示すブロック図である。実施の形態５の表示制御装置１には、さらに自車両の前方に存在する移動体（車両、バイク等）を検出する移動体検出部４が接続されている。移動体検出部４は、実施の形態２（図１３）に示したものと同様のものである。
【００７４】
また、表示制御装置１は、図２２の構成に対し、移動体検出部４が検出した移動体の案内地点に対する相対位置を取得する移動体位置取得部１５を追加した構成となっている。移動体位置取得部１５は、実施の形態２と同様に、移動体検出部４が検出した移動体の案内地点に対する相対位置を取得すると共に、画像解析処理によって、前方影像における当該移動体の位置を取得するように動作する。
【００７５】
ここでも、図７のように、自車両Ｓの前方に位置する交差点ＸＰ１が案内地点であり、その交差点ＸＰ１の手前に、案内地点ではない交差点ＸＰ２が存在する場合を考える。また、交差点ＸＰ１に対応する案内情報の内容は「右折」である。
【００７６】
実施の形態５では、案内地点表示オブジェクト３２が、直接的に案内地点の位置を示すのではなく、当該案内地点の周囲に存在する各移動体に案内地点表示オブジェクト３２が付されることによって、間接的に案内地点の位置が示される。また、図２８のように、案内地点表示オブジェクト３２は、案内地点よりも近くに位置する移動体（車両５１，５２）を示す第１の表示オブジェクト３２ａ（「○」のマーク）と、案内地点よりも遠くに位置する移動体（車両５３）を示す第２の表示オブジェクト３２ｂ（「×」のマーク）とから構成されている。従って、第１の表示オブジェクト３２ａが付された車両５１，５２と、第２の表示オブジェクト３２ｂが付された車両５３との間の位置に、案内地点が存在することが分かる。よって、実施の形態４と同様の効果が得られる。本実施の形態は、自車両前方に移動体が存在することで、車載カメラ６が案内地点を撮影しにくい場合に有効である。
【００７７】
実施の形態５に係る表示制御装置１の動作を説明する。図２９はその動作を示すフローチャートである。
【００７８】
影像取得部１６は、車載カメラ６が撮影した前方映像を取得し（ステップＳ４１）、制御部１４がその前方影像を画像表示部５に表示させる（ステップＳ４２）。また、制御部１４は、案内情報取得部１１が、ナビゲーション装置３から自車両前方の案内地点（次の案内地点）に対応する案内情報を取得したか否かを確認する（ステップＳ４３）。案内情報取得部１１が次の案内地点に対応する案内情報を取得していなければ（ステップＳ４３でＮＯ）、ステップＳ４１へ戻る。
【００７９】
案内情報取得部１１が次の案内地点に対応する案内情報を取得すると（ステップＳ４３でＹＥＳ）、制御部１４は、表示オブジェクト記憶部１３から案内情報表示オブジェクトのデータを取得し、それを画像表示部５に表示する（ステップＳ４４）。案内情報表示オブジェクトの表示位置は、運転者が見やすい位置であれば任意の位置でよい。
【００８０】
次に、移動体位置取得部１５が、移動体検出部４によって自車両前方の移動体が検出されているか否かを確認する（ステップＳ４５）。このとき、移動体が検出されていれば（ステップＳ４５でＹＥＳ）、移動体位置取得部１５が、自車両前方の案内地点に対する各移動体の相対位置を取得する（ステップＳ４６）。さらに、移動体位置取得部１５は、画像解析処理によって、前方影像における当該移動体の位置を取得する（ステップＳ４７）。そして、制御部１４が、画像表示部５に表示された前方影像における各移動体に対応する位置に、その移動体の案内地点に対する相対位置に応じた案内地点表示オブジェクト（第１の表示オブジェクトまたは第２の表示オブジェクト）を表示する（ステップＳ４８）。
【００８１】
なお、移動体検出部４によって移動体が検出されていなければ（ステップＳ４５でＮＯ）、上記のステップＳ４６〜Ｓ４８は行われない。表示制御装置１は、以上の動作を繰り返し実行する。
【００８２】
このように、実施の形態５では、案内地点に対する移動体の相対位置に応じて、移動体に案内地点表示オブジェクト３２が付される。案内地点表示オブジェクト３２の例は、図２８に示したものに限らず、例えば図３０のように、案内地点（交差点ＸＰ１）から案内情報の内容（右折）に一致する方向へ進む車両５４に、案内地点表示オブジェクト３２（「○」のマーク）を付すようにしてもよい。その場合、運転者は、案内地点の位置だけでなく、その案内地点での自車両の進行方向も把握できる。
【００８３】
また、図３０の例において、案内情報表示オブジェクト３１の画像を、案内地点表示オブジェクト３２として兼用してもよい。すなわち、図３１のように、案内地点（交差点ＸＰ１）から案内情報の内容（右折）に一致する方向へ進む車両５４に、案内地点表示オブジェクト３２として、案内情報表示オブジェクト３１（右折を示す矢印）を付してもよい。
【００８４】
図２９のフローでは、移動体検出部４によって移動体が検出されていない場合（ステップＳ２４でＮＯの場合）、案内地点表示オブジェクト３２を付す対象が存在しないため、案内地点表示オブジェクト３２は表示されない。しかし、そのような場合でも、案内地点表示オブジェクト３２が表示されるようにしてもよい。
【００８５】
例えば、図３２のように、表示制御装置１が、案内地点表示オブジェクト３２として、案内地点（交差点ＸＰ１）の周辺に存在するように見える実在しない車両の画像５１ｉ，５２ｉ，５３ｉと、交差点ＸＰ１よりも近くに位置して見える車両の画像５１ｉ，５２ｉを示す第１の表示オブジェクト３２ａと、交差点ＸＰ１よりも遠くに位置して見える車両の画像５３ｉを示す第２の表示オブジェクト３２ｂとを表示するようにしてもよい。これにより、自車両の前方に移動体が存在しない場合でも、図２８の場合と同様の効果が得られる。
【００８６】
また、図３３のように、表示制御装置１が、案内地点表示オブジェクト３２として、交差点ＸＰ１から案内情報の内容に一致する方向へ進んで見える実在しない車両の画像５４ｉと、その車両の画像５４ｉを示す表示オブジェクト（「○」のマーク）を表示するようにしてもよい。これにより、自車両の前方に移動体が存在しない場合でも、図３０の場合と同様の効果が得られる。また、図３３の例においても、図３１を用いて説明したように、案内情報表示オブジェクト３１の画像を、案内地点表示オブジェクト３２として兼用してもよい。
【００８７】
なお、本発明は、その発明の範囲内において、各実施の形態を自由に組み合わせたり、各実施の形態を適宜、変形、省略することが可能である。例えば、図１等ではナビゲーション装置３が表示制御装置１に接続される構成を示したが、表示制御装置１がナビゲーション装置３を含むように構成してもよい（すなわち、表示制御装置１にナビゲーション機能を持たせてもよい）。
【００８８】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８９】
１  表示制御装置、２  虚像表示部、３  ナビゲーション装置、４  移動体検出部、５  画像表示部、６  車載カメラ、１１  案内情報取得部、１２  案内地点位置取得部、１３  表示オブジェクト記憶部、１４  制御部、１５  移動体位置取得部、１６  影像取得部、３１  案内情報表示オブジェクト、３２  案内地点表示オブジェクト、３２ａ  第１の表示オブジェクト、３２ｂ  第２の表示オブジェクト、４０  処理回路、４１  プロセッサ、４２  メモリ、１００  表示オブジェクト、２００  運転者、２０１  ウィンドシールド。
【図１】
2017029761.tif 000003
【図２】
2017029761.tif 000004
【図３】
2017029761.tif 000005
【図４】
2017029761.tif 000006
【図５】
2017029761.tif 000007
【図６】
2017029761.tif 000008
【図７】
2017029761.tif 000009
【図８】
2017029761.tif 000010
【図９】
2017029761.tif 000011
【図１０】
2017029761.tif 000012
【図１１】
2017029761.tif 000013
【図１２】
2017029761.tif 000014
【図１３】
2017029761.tif 000015
【図１４】
2017029761.tif 000016
【図１５】
2017029761.tif 000017
【図１６】
2017029761.tif 000018
【図１７】
2017029761.tif 000019
【図１８】
2017029761.tif 000020
【図１９】
2017029761.tif 000021
【図２０】
2017029761.tif 000022
【図２１】
2017029761.tif 000023
【図２２】
2017029761.tif 000024
【図２３】
2017029761.tif 000025
【図２４】
2017029761.tif 000026
【図２５】
2017029761.tif 000027
【図２６】
2017029761.tif 000028
【図２７】
2017029761.tif 000029
【図２８】
2017029761.tif 000030
【図２９】
2017029761.tif 000031
【図３０】
2017029761.tif 000032
【図３１】
2017029761.tif 000033
【図３２】
2017029761.tif 000034
【図３３】
2017029761.tif 000035
【国際調査報告】
2017029761.tif 000036
2017029761.tif 000037
2017029761.tif 000038
2017029761.tif 000039